(57)【特許請求の範囲】
【請求項１】
底面と四方の側面とを有すると共に、一の側面又は向かい合う両側面の上端から突設され、四方の側面の上端開口部を覆うように折り曲げ可能となった内側上蓋フラップと、この内側上蓋フラップが突設された側面とは別の向かい合う両側面の上端から突設され、四方の側面の上端開口部を覆った内側上蓋フラップの上に重なるように折り曲げ可能となった外側上蓋フラップとを有し、
一方又は双方の内側上蓋フラップの先端から折り曲げ基部方向に向けて、先端側に基部側付近よりもスリット幅が狭くなる係止部をせり出させて設けた切り込み状のスリットが形成され、前記外側上蓋フラップは、一方が他方よりも突出長さが長く、突出長さの長い方の外側上蓋フラップには、内側上蓋フラップの上に重ねたときに前記スリットの上方に位置する部分に、長孔状の繰り抜き部が形成されていることを特徴とする包装箱。
【請求項２】
請求項１に記載の包装箱に包装された電池。
【発明の詳細な説明】
【技術分野】
【０００１】
本発明は、主に収納物の保管や運搬の際に傷付いたりや汚れが付着するのを防止するための包装箱及びこの包装箱に包装された電池に関するものである。
【背景技術】
【０００２】
例えば図６に示すような自動車用の鉛蓄電池１は、質量が大きいので、持ち運びを容易にするために、取っ手２を取り付けることがある。また、この鉛蓄電池１を段ボール製のパッキングケースに収納する場合には、この取っ手２をパッキングケースの上端開口部を塞ぐ上蓋フラップに設けた開口部から取り出して、パッキングケースごと持ち運ぶようにするのが一般的である。
【０００３】
ここで、剛性を有するプラスチック製の取っ手を鉛蓄電池の蓋板の上部に回転自在に取り付け、パッキングケースの上蓋フラップに設けた開口部からこの取っ手を突出させることができるようにしたものが従来からあった（例えば、特許文献１参照。）。この場合には、取っ手を回転させて寝かせておけば、上蓋フラップの開口部から突出させないようにすることができるので、パッキングケースを積み上げるようなときに、この取っ手が邪魔になるようなことがなくなるという利点を有する。
【０００４】
ところが、鉛蓄電池を収納したパッキングケースを持ち運ぶために取っ手を突出させるには、一旦上蓋フラップを開き、この取っ手を回転させて直立させ、再度上蓋フラップを閉じなければならず、しかも、再び取っ手を突出させないようにするときにも、一旦上蓋フラップを開き、この取っ手を回転させて寝かせ、再度上蓋フラップを閉じる必要がある。このため、例えば鉛蓄電池を収納したパッキングケースが積み上げられているときに、これを１個ずつ取っ手を持って運び再び別の場所に積み上げるというような運搬作業を行う際に、いちいち取っ手を出したり納めたりする作業が面倒になるという問題があった。
【０００５】
また、ある程度可撓性のある樹脂製の取っ手を鉛蓄電池の蓋板の上部に取り付け、パッキングケースの上蓋フラップに設けた観音開き状の開口部からこの取っ手を取り出すことができるようにしたものも従来からあった（例えば、特許文献２参照。）。この場合には、観音開き状の開口部に取っ手を押し込めば、この取っ手を容易に上蓋フラップの下方に納めることができ、しかも、開口部を開いてこの取っ手を取り出すことも容易にできるようになるので、取っ手を出したり納めたりする作業が面倒になるということもなくなる。
【０００６】
ところが、この取っ手は、鉛蓄電池の上部に両端部を確実に係止等により取り付けることによって、この重い鉛蓄電池を持ち運ぶことができるので、上蓋フラップの開口部に押し込まれても両端部の位置は容易には移動せず、このため湾曲した中央部が弾性によって再び観音開き状の開口部を下から押し開いて上方に突出しようとする。即ち、パッキングケースの上蓋フラップだけに支持される取っ手であれば、両端部が上蓋フラップの内側で抜け止めだけが行われ、両端部側へのスライドは自在となるので、この取っ手を開口部に押し込んで中央の湾曲部を平坦な状態にしても、両端部が広がることにより大きな弾性は生じない。しかしながら、両端部が鉛蓄電池に取り付けられて位置が固定されている状態では、湾曲した中央部を下方に押すと、大きな弾性が生じて上方に押し返す力が発生する。従って、このようなパッキングケースを積み上げると、下のパッキングケースの上蓋フラップの開口部から上方に突出しようとする取っ手が上のパッキングケースに押されて再び納まることもあるが、観音開き状の開口部に引っ掛かって完全には納まらなかった場合に、上のパッキングケースの底面との間に挟まって積み上げたパッキングケースが不安定となり、荷崩れを生じるおそれがあるという問題があった。
【０００７】
しかも、このような問題を解消するために、例えば取っ手に樹脂製の繊維の織物からなる帯材を用いることにより、弾性をほとんどなくし柔軟性を有するものとすれば、上蓋フラップの観音開き状の開口部を下から押し開いて突出するようなことはなくなるが、この開口部の内側に納めたときに、上蓋フラップの下方に完全に落ち込んで横ずれ等を生じ、再度開口部から引き出そうとしても、その真下にはないために取り出すことが困難になるという問題が生じる。
【０００８】
さらに、布製等の柔軟性のある取っ手を鉛蓄電池の蓋板の上部に取り付け、パッキングケースの上蓋フラップに設けた切り込みを開いてこの取っ手を取り出すことができるようにしたものも従来からあった（例えば、特許文献３参照。）。
【０００９】
ところが、この取っ手は、一旦引き出すと、再び上蓋フラップの切り込みの内側に押し戻すことが困難である。しかしながら、鉛蓄電池を収納したパッキングケースは、上記のように、１個ずつ取っ手を持って運んだ後に再び積み上げることもあるので、柔軟性のある取っ手とはいえども、積み上げたパッキングケースの間にこの取っ手が挟まると、積み荷が不安定になって荷崩れを生じるおそれがあるという問題があった。
【特許文献１】特開昭６２−６６５６２号公報
【特許文献２】特許第２９５６３５７号公報
【特許文献３】実開平７−７０６６号公報
【発明の開示】
【発明が解決しようとする課題】
【００１０】
本発明は、取っ手を内側上蓋フラップのスリットを通して引き出すと共に、係止部によってこのスリットより下方に全体が落ち込むのを防止することにより、この取っ手の使用時には容易に引き出すことができ、不使用時には積載の邪魔になるようなことのない包装箱及びこの包装箱に包装された電池を提供しようとするものである。
【課題を解決するための手段】
【００１１】
請求項１の包装箱は、底面と四方の側面とを有すると共に、一の側面又は向かい合う両側面の上端から突設され、四方の側面の上端開口部を覆うように折り曲げ可能となった内側上蓋フラップと、この内側上蓋フラップが突設された側面とは別の向かい合う両側面の上端から突設され、四方の側面の上端開口部を覆った内側上蓋フラップの上に重なるように折り曲げ可能となった外側上蓋フラップとを有し、一方又は双方の内側上蓋フラップの先端から折り曲げ基部方向に向けて、先端側に基部側付近よりもスリット幅が狭くなる係止部をせり出させて設けた切り込み状のスリットが形成され、前記外側上蓋フラップは、一方が他方よりも突出長さが長く、突出長さの長い方の外側上蓋フラップには、内側上蓋フラップの上に重ねたときに前記スリットの上方に位置する部分に、長孔状の繰り抜き部が形成されていることを特徴とする。
【００１２】
（削除）
【００１３】
（削除）
【００１４】
請求項２の電池は、前記包装箱に包装されたことを特徴とする。
【発明の効果】
【００１５】
請求項１の発明によれば、収納物の取っ手を内側上蓋フラップのスリットの基部付近を通して包装箱の上方に引き出すことができるので、この取っ手を持って包装箱に収納された収納物を運ぶことができる。また、この取っ手は、柔軟性を有するものとすることにより、内側上蓋フラップの先端より先の間隙やスリットの先端付近の間隙を通して内部に落とし込むことができ、容易に内側上蓋フラップの下方に納めることができる。しかも、この際、取っ手の一部はスリットの係止部に係止されたままとなるので、完全に内側上蓋フラップの下方に落ち込むことはなく、この係止された部分を上方に引っ張ることにより、容易に引き出すことができるようになる。さらに、この取っ手は、未使用時には不要となる部分を内側上蓋フラップの下方に落とし込むことにより、スリットの係止部に係止される部分が不必要に長くなって折り重なったりねじれたりすることがないので、この内側上蓋フラップの上に重なる外側上蓋フラップよりも上方に突出するようなことがなくなり、包装箱を積み重ねたときに荷崩れを生じるようなおそれもなくなる。
【００１６】
なお、内側上蓋フラップは、短辺側の向かい合う両側面の上端から一対突設されるのが通常であるが、長辺側の向かい合う両側面から突設されるようにしてもよいし、向かい合う両側面のいずれか一方のみから突設されるようにしてもよい。しかも、内側上蓋フラップが一対突設されている場合、スリットは、双方に形成することが好ましいが、いずれか一方にのみ形成することもできる。
【００１７】
また、外側上蓋フラップは、内側上蓋フラップを突設した側面と隣接する長辺側の向かい合う両側面の双方の上端から突設されることが多いが、短辺側の向かい合う両側面の双方から突設されていてもよい。
【００１８】
上記外側上蓋フラップは、内側上蓋フラップのスリットを形成した部分の上方に重ねて配置される位置に繰り抜き部が形成されているので、この繰り抜き部を通して取っ手を上方に引き出すようにすることができる。
【００１９】
なお、前記包装箱は、前記スリットが、基部付近のスリット幅を広くし、これより先端側のスリット幅を係止部により一定の狭い幅とすることによりＴ字形状としたものとすることができる。
このようにすれば、スリットがＴ字形状であるため、取っ手を帯状とした場合に、この取っ手をスリットの奥のスリット幅が広い部分に係止して容易には移動しないようにすることができるので、係止部を通って下方に抜け落ちるのを確実に防止することができるようになる。
【００２０】
なお、前記スリットが、基部付近のスリット幅を広くし、これより先端側のスリット幅を係止部により、先端側に向かうほど徐々に狭くし、このスリット幅がある程度狭くなると、それより先端側を一定の狭い幅とすることによりＹ字形状とすることもできる。この場合にも、スリットがＹ字形状であるため、取っ手を帯状とした場合に、この取っ手をスリットの奥のスリット幅が広い部分に係止して容易には移動しないようにすることができるので、係止部を通って下方に抜け落ちるのを確実に防止することができるようになる。しかも、収納物を包装箱から取り出すために内側上蓋フラップを開く際に、スリットの奥から手前側に向けて狭くなるテーパ部分が取っ手を係止部による狭いスリット幅の部分に案内してスムーズに通り抜けるようにするので、この取っ手を容易に外すことができるようになる。
【００２１】
また、前記包装箱は、前記スリットのスリット幅を一定の狭い幅となるようにした係止部の先端付近に、先端に至るまで幅が徐々に広くなる挿入テーパ部が形成されるようにすることができる。
このようにすれば、最初に取っ手をスリットに嵌め込む際に、このスリットの先端側の挿入テーパ部によって、係止部による狭いスリット幅の部分に案内してスムーズに通り抜けるようにすることができるので、この取っ手を容易にスリットの奥のスリット幅の広い部分に係止させことができるようになる。
【００２２】
請求項２の発明によれば、上記包装箱に電池が収納されるので、重くなりがちな電池がこの包装箱から引き出した取っ手を持って運び易くなると共に、この包装箱を積み重ねた場合にも、荷崩れを生じるようなおそれがなくなる。
【発明を実施するための最良の形態】
【００２３】
以下、本発明の最良の実施形態について図１〜図５を参照して説明する。
【００２４】
本実施形態は、自動車用の鉛蓄電池１を収納する段ボール製のパッキングケース３について説明する。また、鉛蓄電池１は、図６に示したものと同じ構成のものを用いる。
【００２５】
この鉛蓄電池１は、樹脂製の電槽１ａの上端開口部に樹脂製の蓋板１ｂを熱溶着したものであり、この蓋板１ｂの向かい合う短辺側の両側辺中央部にそれぞれ取っ手２を取り付けるための取付部１ｃ、１ｄが形成されている。また、この蓋板１ｂからは、正負極の端子１ｅ、１ｆが上方に突出している。
【００２６】
取っ手２は、ポリエステル繊維を布状に織った帯材であり、十分な引っ張り強度は有するが、極めて高い柔軟性を有しているので、自由状態では、図６に示すようなアーチ状の形状を維持することはできず、蓋板１ｂの上に垂れ落ちた状態となる。また、この取っ手２は、長尺方向の両端部にそれぞれ剛性の高い係止杆２ａ、２ｂ（ただし、図では係止杆２ｂは蓋板１ｂの陰に隠れて見えない）が設けられていて、これらの係止杆２ａ、２ｂが蓋板１ｂの取付部１ｃ、１ｄに係止することにより、蓋板１ｂ上を通して両端部を鉛蓄電池１に取り付けられる。なお、この取っ手２は、鉛蓄電池１を自動車に装着して使用するときには、不要となるので取り外す。
【００２７】
上記鉛蓄電池１を収納するパッキングケース３は、１枚の段ボールを所定形状に抜き加工して組み立てたものであり、底面と四方の側面３１〜３４とを有する筐体状の包装箱である。このパッキングケース３の底面は、側面３１〜３４の下端から突設された底フラップを折り曲げて、先端部同士を組み合わせたりテープや金具で固定する等の任意の構造により、重い鉛蓄電池１を収納して持ち上げても底が抜けることがないようになっている。四方の側面３１〜３４は、向かい合って直立する短辺側の一対の側面３１、３２と、これらに隣接して向かい合って直立する長辺側の一対の側面３３、３４とからなる。
【００２８】
このパッキングケース３の短辺側の側面３１、３２の上端からは、それぞれ内側上蓋フラップ３５、３６が突設され、長辺側の側面３１〜３４の上端からは、それぞれ外側上蓋フラップ３７、３８が突設されている。内側上蓋フラップ３５、３６は、段ボールにおける短辺側の側面３１、３２の上端と繋がって切り出されたほぼ方形の部分であり、これらの側面３１、３２の上端辺で折り曲げられて四方の側面３１〜３４の上端開口部の一部を覆うようになっている。また、これらの内側上蓋フラップ３５、３６は、先端中央部から側面３１、３２の上端辺に近い折り曲げ基部にかけて、切り込み状のスリット３５ａ、３６ａが形成されている。これらのスリット３５ａ、３６ａは、帯状の取っ手２とほぼ同じスリット幅を有するが、実際にこのような広いスリット幅は奥の僅かな部分だけであり、これより先端側は、幅方向の両側から係止部３５ｂ、３６ｂがせり出して、帯状の取っ手２の幅よりも十分に狭く厚さよりは少し広い程度まで狭められたスリット幅を有することによりＴ字形状となっている。しかも、これらのスリット３５ａ、３６ａが開口する先端部では、係止部３５ｂ、３６ｂによって狭められた幅が先端に至るまで再び徐々に広くなって挿入テーパ部３５ｃ、３６ｃが形成されている。
【００２９】
この内側上蓋フラップ３５、３６には、スリット３５ａ、３６ａの側方の先端から折り曲げ基部にかけて、切り込み状の差し込み溝３５ｄ、３６ｄも形成されている。これらの差し込み溝３５ｄ、３６ｄは、段ボールの厚さのほぼ２倍の均一な幅を有する切り込みである。
【００３０】
外側上蓋フラップ３７、３８は、段ボールにおける長辺側の側面３３、３４の上端と繋がって切り出されたほぼ方形の部分であり、これらの側面３３、３４の上端辺で折り曲げられて、四方の側面３１〜３４の上端開口部を覆う内側上蓋フラップ３５、３６の上に重なるようになっている。ただし、一方の外側上蓋フラップ３７は、他方の外側上蓋フラップ３８よりも、突出長さが長くなっていて、双方の突出長さの合計が短辺側の側面３１、３２の上端辺の長さとほぼ同じになるようになっている。また、これらの外側上蓋フラップ３７、３８は、先端の両端部を除いた部分からさらに差し込み部３７ａ、３８ａが突設されている。これらの差し込み部３７ａ、３８ａも、段ボールにおける外側上蓋フラップ３７、３８の先端と繋がって切り出された突出方向に短い方形の部分であり、これらの外側上蓋フラップ３７、３８の先端辺で折り曲げられて、内側上蓋フラップ３５、３６の差し込み溝３５ｄ、３６ｄに共に重なって差し込まれるようになっている。さらに、突出長さの長い方の外側上蓋フラップ３７は、内側上蓋フラップ３５、３６の上に重ねたときにスリット３５ａ、３６ａの上方に位置する部分に、長孔状の繰り抜き部３７ｂが形成されている。
【００３１】
上記構成のパッキングケース３は、図２に示す状態から内側上蓋フラップ３５、３６を上方に開き、側面３１〜３４の上端開口部から内部に図６に示した鉛蓄電池１を挿入して収納する。次に、図１に示すように、内側上蓋フラップ３５、３６を閉じて側面３１〜３４の上端開口部の一部を覆うと共に、鉛蓄電池１に取り付けられた取っ手２をこれらの内側上蓋フラップ３５、３６のスリット３５ａ、３６ａにそれぞれ嵌め込む。この際、スリット３５ａ、３６ａの先端側の挿入テーパ部３５ｃ、３６ｃによって取っ手２が案内されるので、係止部３５ｂ、３６ｂによる狭いスリット幅をスムーズに通り抜けて、奥の幅の広い部分に達することができる。また、このようにしてスリット３５ａ、３６ａの奥の幅の広い部分に達した取っ手２は、先端側のスリット幅の狭い係止部３５ｂ、３６ｂに遮られて、容易にはスリット３５ａ、３６ａから抜け落ちることができないので、確実に係止されることになる。
【００３２】
上記パッキングケース３は、外側上蓋フラップ３７、３８を側面３３、３４の上端辺で折り曲げて、差し込み部３７ａ、３８ａを内側上蓋フラップ３５、３６の差し込み溝３５ｄ、３６ｄに差し込むことにより、図３に示すように、これらの内側上蓋フラップ３５、３６の上に外側上蓋フラップ３７、３８を重ねて蓋をする。この際、外側上蓋フラップ３７、３８は、差し込み部３７ａ、３８ａが差し込み溝３５ｄ、３６ｄに差し込まれて容易には抜けないようになるので、パッキングケース３による鉛蓄電池１の包装が確実に行われるようになる。
【００３３】
上記パッキングケース３の内部では、鉛蓄電池１の蓋板１ｂから上方に突出する正負極の端子１ｅ、１ｆが内側上蓋フラップ３５、３６を下方から支持することができるが、その他の部分では、これらの内側上蓋フラップ３５、３６の下方に空間が空くことになる。しかしながら、差し込み溝３５ｄ、３６ｄに差し込まれた差し込み部３７ａ、３８ａが、このパッキングケース３の内部空間で直立し、下方の先端が鉛蓄電池１の蓋板１ｂの上面に接する付近にまで達するので、このパッキングケース３の上に別のパッキングケース３を載置することにより大きな重量が加わった場合にも、外側上蓋フラップ３７、３８を支持するリブとなってパッキングケース３の上部が押し潰されるのを防ぐことができる。
【００３４】
上記パッキングケース３は、取っ手２がスリット３５ａ、３６ａの奥を通って一旦内側上蓋フラップ３５、３６の上に導き出されるが、通常時には、中央部分がこれらの内側上蓋フラップ３５、３６の先端の間の間隙からパッキングケース３の内部空間に落とし込まれる。しかも、取っ手２は、十分な柔軟性を有するので、強い弾性によって中央部分が再び上方に突出するようなこともない。従って、この取っ手２は、厚さ分を考慮しても、外側上蓋フラップ３７、３８の上面よりも上方にはみ出すことはないので、このようなパッキングケース３を複数個積み重ねた場合にも、各パッキングケース３の間に取っ手２が挟まって荷積みが不安定になるようなおそれは生じない。
【００３５】
また、上記パッキングケース３を持ち運ぶ場合には、スリット３５ａ、３６ａの奥から内側上蓋フラップ３５、３６の上に導き出された取っ手２を手掛かりに、図３に示したように、この取っ手２の中央部を繰り抜き部３７ｂや内側上蓋フラップ３５、３６の間を通して上方に引き出すことにより、この取っ手２を手で持って重い鉛蓄電池１をパッキングケース３と共に持ち運ぶことができるようになる。しかも、運んだパッキングケース３を再び積み上げる場合には、引き出した取っ手２の中央部を繰り抜き部３７ｂや内側上蓋フラップ３５、３６の間から容易に下方に落とし込むことができるので、荷積みの邪魔にならないようにすることができる。
【００３６】
以上説明したように、本実施形態のパッキングケース３は、持ち運ぶ際には、取っ手２を上方に引き出して手で持つことができ、繰り抜き部３７ｂや内側上蓋フラップ３５、３６の間から内部に押し込めば、荷積みの邪魔になるようなこともなくなる。しかも、取っ手２の中央部をパッキングケース３の内部に落とし込んだ場合であっても、この取っ手２の両端部は、係止部３５ｂ、３６ｂによってスリット３５ａ、３６ａに確実に係止されるので、この部分を手掛かりにして、取っ手２の中央部を再び容易に引き出すことができる。
【００３７】
なお、上記実施形態では、ポリエステル繊維を布状に織った帯材の取っ手２を用いる場合を示したが、柔軟性を有するものであれば、材質は任意であり、織物であるかどうかも問わない。また、幅広の帯材に限らず、例えばロープ状のものでもよく、通常時にパッキングケース３の内部に落とし込む中央部のみを手で持ち易いように太く形成したものであってもよい。ただし、ロープ状の取っ手２の場合には、スリット３５ａ、３６ａに設けた係止部３５ｂ、３６ｂによるスリット幅は、このロープ状の取っ手２の直径よりも少し狭くする必要がある。さらに、この取っ手２は、鉛蓄電池１に着脱自在に取り付ける場合に限らず、使用時にも取り外すことができないようになっていてもよい。
【００３８】
また、上記実施形態では、外側上蓋フラップ３７、３８の差し込み部３７ａ、３８ａがリブの役割を果たす場合を示したが、パッキングケース３が積載時にも潰れるおそれがなければ、外側上蓋フラップ３７、３８は、単に内側上蓋フラップ３５、３６の上に重ねて止め付けられるだけでもよい。ただし、逆に差し込み部３７ａ、３８ａによるリブだけではパッキングケース３の強度が十分でない場合には、内側上蓋フラップ３５、３６の先端からも補強部を突設して、これらの補強部を下方に折り曲げることにより、差し込み部３７ａ、３８ａと直交するリブの役割を果たすようにすることもできる。
【００３９】
また、上記実施形態では、内側上蓋フラップ３５、３６を短辺側の側面３１、３２から突設し、外側上蓋フラップ３７、３８を長辺側の側面３３、３４から突設する場合を示したが、これら短辺側と長辺側の側面３１〜３４を逆にすることもできる。さらに、パッキングケース３は、筐体状であればよく、四方の側面３１〜３４の幅が等しい正方形状の開口部を有するものであってもよい。
【００４０】
また、上記実施形態では、スリット３５ａ、３６ａの幅方向の両側から係止部３５ｂ、３６ｂをせり出させて設ける場合を示したが、これらのスリット３５ａ、３６ａのスリット幅が十分に狭くなれば取っ手２を係止することはできるので、片側からのみせり出させて設けてもよい。ただし、帯状の取っ手２の場合、片側にのみ係止部３５ｂ、３６ｂを設けてスリット３５ａ、３６ａをＬ字形状にすると、この帯状の端から抜け出し易くなるおそれは生じるので、上記実施形態のように両側に係止部３５ｂ、３６ｂを設けてＴ字形状とする方が好ましい。
【００４１】
また、上記実施形態では、スリット３５ａ、３６ａの先端部に挿入テーパ部３５ｃ、３６ｃを設ける場合を示したが、鉛蓄電池１の梱包作業時に取っ手２をスリット３５ａ、３６ａに係止させる作業が面倒でなければ、必ずしもこのような挿入テーパ部３５ｃ、３６ｃを設ける必要はない。
【００４２】
また、上記実施形態では、係止部３５ｂ、３６ｂがスリット３５ａ、３６ａの側面から直角にせり出す場合を示したが、図４に示すように、これらのスリット３５ａ、３６ａのスリット幅が最も奥から先端側にかけて徐々に狭くなるテーパ状となるように係止部３５ｂ、３６ｂをせり出させ、このスリット幅がある程度狭くなると一定の狭い幅となるようにして、スリット３５ａ、３６ａがＹ字形状となるようにしてもよい。この場合には、取っ手２を意図的にスリット３５ａ、３６ａから外そうとすると、このテーパ状の部分によって幅の狭い係止部３５ｂ、３６ｂのスリット幅をスムーズに通り抜けるように取っ手２を案内することができるので、鉛蓄電池１をパッキングケース３から取り出す際に取っ手２が邪魔になるようなことがなくなる。
【００４３】
また、上記実施形態では、スリット３５ａ、３６ａの本来の広いスリット幅が奥部だけであり、この奥部より先端側のスリット幅のほとんどが係止部３５ｂ、３６ｂによって狭められている場合を示したが、図５に示すように、一定のスリット幅のスリット３５ａ、３６ａの奥に近い部分だけに両側から凸状の係止部３５ｂ、３６ｂを突設して、この部分のスリット幅だけを狭めるようにするだけでもよい。即ち、これらの係止部３５ｂ、３６ｂは、スリット３５ａ、３６ａの幅を広い範囲に限らず局所的にも狭めることができればよいので、その形状は任意である。さらに、係止部３５ｂ、３６ｂによって狭められたスリット幅は、その幅が０であってもよい。つまり、切り込みはあるが、見た目の隙間は空いていな状態であっても、取っ手２を挿入して押し広げることにより、係止部３５ｂ、３６ｂによるスリット幅が０の部分を通り抜けることはできる。
【００４４】
また、上記実施形態では、双方の内側上蓋フラップ３５、３６にスリット３５ａ、３６ａを形成する場合を示したが、いずれか一方の内側上蓋フラップにのみスリットを形成することもできる。取っ手２は、両端部をスリット３５ａ、３６ａの係止部３５ｂ、３６ｂに係止された場合に限らず、片方の端部をスリットの係止部に係止されていても、容易に引き出すことはできるからである。
【００４５】
また、上記実施形態では、向かい合う両方の側面３３、３４からそれぞれ外側上蓋フラップ３７、３８を突設する場合を示したが、差し込み部３７ａ、３８ａによるリブが不要であれば、例えば図４に示すように、片側の側面３３のみから外側上蓋フラップ３７を突設するようにしてもよく、この場合は、一般的なＢ式のパッキングケース３となる。
【００４６】
また、上記実施形態では、向かい合う両方の側面３１、３２からそれぞれ内側上蓋フラップ３５、３６を突設する場合を示したが、片側の側面のみから内側上蓋フラップを突設することもできる。
【００４７】
また、上記実施形態では、外側上蓋フラップ３７に繰り抜き部３７ｂを形成する場合を示したが、例えば図５に示すように、内側上蓋フラップ３５、３６におけるスリット３５ａ、３６ａの差し込み溝３５ｄ、３６ｄとは反対側にも、新たな差し込み溝３５ｅ、３６ｅを設けると共に、一方の外側上蓋フラップ３７の突出長さを他方の外側上蓋フラップ３８と同じにすることにより、これらの外側上蓋フラップ３７、３８を内側上蓋フラップ３５、３６の上に重ねても、スリット３５ａ、３６ａの上方が露出するようにできるので、このような場合には、繰り抜き部３７ｂを設ける必要はなくなる。
【００４８】
また、上記実施形態では、自動車用の鉛蓄電池１を包装するためのパッキングケース３について説明したが、自動車用のものには限らず、他の用途の鉛蓄電池でも同様であり、鉛蓄電池以外の電池についても同様に実施可能である。また、このような電池に限らず、取っ手を取り付けたその他の収納物を収納して包装するパッキングケース３についても同様である。さらに、上記実施形態では、段ボール製のパッキングケース３について説明したが、その他の紙材料や樹脂材料等を用いた包装箱にも同様に実施可能である。
【図面の簡単な説明】
【００４９】
【図１】本発明の一実施形態を示すものであって、鉛蓄電池を収納し外側上蓋フラップを閉じる前のパッキングケースを示す全体斜視図である。
【図２】本発明の一実施形態を示すものであって、パッキングケースの全体斜視図である。
【図３】本発明の一実施形態を示すものであって、鉛蓄電池を収納し外側上蓋フラップを閉じたパッキングケースを示す部分斜視図である。
【図４】本発明の一実施形態を示すものであって、パッキングケースの他の構成例を示す部分斜視図である。
【図５】本発明の一実施形態を示すものであって、パッキングケースのさらに他の構成例を示す部分斜視図である。
【図６】取っ手を取り付けた鉛蓄電池の斜視図である。
【符号の説明】
【００５０】
１      鉛蓄電池
２      取っ手
３      パッキングケース
３１    側面
３２    側面
３３    側面
３４    側面
３５    内側上蓋フラップ
３５ａ  スリット
３５ｂ  係止部
３５ｃ  挿入テーパ部
３６    内側上蓋フラップ
３６ａ  スリット
３６ｂ  係止部
３６ｃ  挿入テーパ部
３７    外側上蓋フラップ
３７ｂ  繰り抜き部
３８    外側上蓋フラップ
【図１】
0004696674.tif 000002
【図２】
0004696674.tif 000003
【図３】
0004696674.tif 000004
【図４】
0004696674.tif 000005
【図５】
0004696674.tif 000006
【図６】
0004696674.tif 000007